【事件の表示】
　特許第３３４６４０７号「脱穀機の排藁搬送装置」の請求項１に係る特許に対する特許異議の申立てについて、次のとおり決定する。
【結　論】
　訂正を認める。
　特許第３３４６４０７号の請求項１に係る特許を取り消す。
【理　由】
１．手続の経緯
　本件特許第３３４６４０７号の請求項１に係る発明についての出願は、平成３年２月２５日の出願（特願平３−３０３１３号）の一部を、平成１２年１１月２４日に新たな特許出願としたものであり、平成１４年９月６日にその発明について特許の設定登録がなされ、その後、セイレイ工業株式会社及び三菱農機株式会社より特許異議の申立てがなされ、平成１５年１２月１１日付けで取消理由通知がなされたところ、その指定期間内である平成１６年２月２３日付けで意見書とともに訂正請求書が提出されたものである。
　
２．訂正の適否についての判断
２−１．訂正の内容
（１） 訂正事項ａ
　特許明細書の特許請求の範囲の【請求項１】に記載された「脱穀機１に備える脱穀搬送チェン３の搬送終端部に続いて株元を挾持しながら排藁を機外へ搬送する排藁株元側挾持搬送チェン４をその後端部側が前記脱穀搬送チェン３の搬送方向から遠ざかる方向に向けて設け、該排藁株元側挾持搬送チェン４によって搬送される排藁の穂先側には排藁穂先側搬送ベルト５をその後端が前記排藁株元側挾持搬送チェン４の後端より前側となるように並置して設け、前記排藁株元側挾持搬送チェン４の直下に該排藁株元側挾持搬送チェン４に対向する棒状の挾持杆を設ける一方、前記排藁穂先側搬送ベルト５の直下には該排藁穂先側搬送ベルト５に対向する挾持杆の如き挾持案内部材を設けずに、前記排藁株元側挾持搬送チェン４と挾持杆とによる挾持搬送作用及び排藁穂先側搬送ベルト５による搬送作用を受けて搬送される排藁を下側から支えて案内する断面円形状の案内杆６を設けるに、該案内杆６の後端を前記排藁株元側搬送チェン４の後端より前側で且つ前記排藁穂先側搬送ベルト５の後端よりも前側の位置に設定しながら、該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置したことを特徴とする脱穀機の排藁搬送装置。」を、
「脱穀機１に備える脱穀搬送チェン３の搬送終端部に続いて株元を挾持しながら排藁を機外へ搬送する排藁株元側挾持搬送チェン４をその後端部側が前記脱穀搬送チェン３の搬送方向から遠ざかる方向に向けて設け、該排藁株元側挾持搬送チェン４によって搬送される排藁の穂先側には排藁穂先側搬送ベルト５をその後端が前記排藁株元側挾持搬送チェン４の後端より前側となるように並置して設け、前記排藁株元側挾持搬送チェン４の直下に該排藁株元側挾持搬送チェン４に対向する棒状の挾持杆を設ける一方、前記排藁穂先側搬送ベルト５の直下には該排藁穂先側搬送ベルト５に対向する挾持杆の如き挾持案内部材を設けずに、前記排藁株元側挾持搬送チェン４と挾持杆とによる挾持搬送作用及び排藁穂先側搬送ベルト５による搬送作用を受けて搬送される排藁を下側から支えて案内する断面円形状の案内杆６を設けるに、該案内杆６の後端を前記排藁株元側搬送チェン４の後端より前側で且つ前記排藁穂先側搬送ベルト５の後端よりも前側の位置に設定しながら、該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置して、前記脱穀搬送チェン３から受け継がれた排藁の中間部分が下方から案内杆６によって支えられた状態でこの排藁の株元と先端部とが排藁株元側挟持搬送チェン４と排藁搬送ベルト５との両者によって搬送されてこの排藁の先端部分で排藁通路２の底板１０上を掃くようにして藁屑を機外へつれだすことができるように構成したことを特徴とする脱穀機の排藁搬送装置。」と訂正する。
（２） 訂正事項ｂ
　特許明細書の【課題を解決するための手段】（本件特許公報第２頁第４欄第１７行−第３頁第５欄第２２行）に記載された「この発明は、上述の如き課題を解決するために、次のような技術的手段を講じる。すなわち、………該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置したことを特徴とする脱穀機の排藁搬送装置としたものである。…………しかも、排藁を下側から支えて案内する案内杆６が、断面円形状であるために排藁との接触面積が小さくなって排藁搬送の抵抗になりにくく、また、この案内杆６が、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置されているため、この案内杆６と排藁穂先側搬送ベルト５との間で排藁を挾持しない状態でありながら、この排藁に排藁穂先側搬送ベルト５の搬送作用を効果的に受けさしめ、排藁搬送が円滑に行われる。」を、
「この発明は、上述の如き課題を解決するために、次のような技術的手段を講じる。すなわち、………該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置して、前記脱穀搬送チェン３から受け継がれた排藁の中間部分が下方から案内杆６によって支えられた状態でこの排藁の株元と先端部とが排藁株元側挟持搬送チェン４と排藁搬送ベルト５との両者によって搬送されてこの排藁の先端部分で排藁通路２の底板１０上を掃くようにして藁屑を機外へつれだすことができるように構成したことを特徴とする脱穀機の排藁搬送装置としたものである。…………しかも、排藁を下側から支えて案内する案内杆６が、断面円形状であるために排藁との接触面積が小さくなって排藁搬送の抵抗になりにくく、また、この案内杆６が、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置されているため、この案内杆６と排藁穂先側搬送ベルト５との間で排藁を挾持しない状態でありながら、この排藁に排藁穂先側搬送ベルト５の搬送作用を効果的に受けさしめ、排藁搬送が円滑に行われる。しかも、排藁は、その先端部分で排藁通路２の底板１０上を掃くようにして進み排藁を機外へつれだすことができる。」と訂正する。
（３） 訂正事項ｃ
　特許明細書の【発明の効果】（本件特許公報第３頁第５欄第２４−４６行）に記載された「従って、本発明によると、………しかも、排藁を下側から支えて案内する案内杆６を断面円形状として排藁との接触面積を小さくして排藁搬送の抵抗になりにくいものとし、また、この案内杆６を、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置することによって、この案内杆６と排藁穂先側搬送ベルト５との間で排藁を挾持しない状態でありながら、この排藁に排藁穂先側搬送ベルト５の搬送作用を効果的に受けさせることができ、排藁搬送を円滑に行うことができるものとして脱穀作業の能率を向上させることができる。」を、
「従って、本発明によると、………しかも、排藁を下側から支えて案内する案内杆６を断面円形状として排藁との接触面積を小さくして排藁搬送の抵抗になりにくいものとし、また、この案内杆６を、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置することによって、この案内杆６と排藁穂先側搬送ベルト５との間で排藁を挾持しない状態でありながら、この排藁に排藁穂先側搬送ベルト５の搬送作用を効果的に受けさせることができ、排藁搬送を円滑に行うことができるものとして脱穀作業の能率を向上させることができる。しかも、排藁は、その先端部分で排藁通路２の底板１０上を掃くようにして進み排藁を機外へつれだすことができる。」と訂正する。
　
２−２．訂正の目的の適否、新規事項の有無及び拡張・変更の存否
　上記訂正事項ａは、請求項１において、排藁株元側挟持搬送チェン４と排藁搬送ベルト５とによって搬送される排藁が、その「中間部分が下方から案内杆６によって支えられた状態でこの排藁の株元と先端部とが排藁株元側挟持搬送チェン４と排藁搬送ベルト５との両者によって搬送されてこの排藁の先端部分で排藁通路２の底板１０上を掃くようにして藁屑を機外へつれだすことができるように構成」されたものであることを限定するものであり、本件特許明細書の段落番号【００１９】に「このようにして、排藁は、排藁搬送装置８に受け継がれると、株元と先端部とが挾持排藁チエン４と排藁搬送ベルト５との両者によって搬送され、その中間部分が下方から案内杆６によって支えられた状態で搬送される。したがって、排藁は、若干搬送遅れとなっている先端部分にブレーキをかけることなく円滑に搬送できる。しかも、排藁は、その先端部分で排藁通路２の底板１０上を掃くようにして進み藁屑を機外つれだすことが出来る。」と記載されていた事項に基づくものであるから、上記訂正事項ａは、特許請求の範囲の減縮を目的とした明細書の訂正に該当し、新規事項の追加に該当せず、実質上特許請求の範囲を拡張し、又は変更するものではない。
　上記訂正事項ｂ及び訂正事項ｃは、上記訂正事項ａと整合を図るものであるから、明りょうでない記載の釈明を目的とした明細書の訂正に該当し、新規事項の追加に該当せず、実質上特許請求の範囲を拡張し、又は変更するものではない。
　
２−３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．本件の請求項１に係る発明
　上記２．で示したように上記訂正が認められるから、本件の請求項１に係る発明（以下、「本件発明」という。）は、上記訂正に係る訂正明細書の特許請求の範囲の請求項１に記載された事項に特定されるとおりのものである。（上記２−１．（１）訂正事項ａ参照）
３−２．引用刊行物に記載された発明
　当審で通知した取り消しの理由で引用した刊行物１（実願昭６２−７２７５５号（実開昭６３−１８１２３７号）のマイクロフィルム、以下「引用例」という。）には、以下のような事項が記載されている。
「５は自動送込式脱穀装置１の排出側に設けた株元側排藁搬送装置であり、チェーン等で形成した株元搬送体６と該株元搬送体６の下方位置に配設した株元挟持体７とから構成し、扱室２で脱穀処理された穀稈の株元側を後方へ挟持搬送する。」（第４頁第１−６行）
「９は前記株元側排藁搬送装置５と並行に配設した穂先側排藁搬送装置であり、外周面に突起１０を有するベルト等で形成した穂先搬送体１１と穂先挟持体１２とから構成し、排出穀稈の穂先側を後方へ挟持搬送する。」（第４頁第１０−１４行）
「穀稈搬送装置４により刈取穀稈の穂先を扱室２内に供給すると、扱胴３により脱穀処理され、脱穀された穀粒は下方に落下して選別され、扱室２から排出された排藁は、株元側を株元側排藁搬送装置５に引継かれ、穂先側を穂先側排藁搬送装置９に引継かれて搬送される。」（第６頁第４−９行）
　また、第１図及び第２図の記載から、株元搬送体６をその後端部側が穀稈搬送装置４の搬送方向から遠ざかる方向に向けて設け、穂先搬送体１１をその後端が株元搬送体６の後端より前側となるように並置して設け、且つ、穂先挟持体１２の後端を株元搬送体６の後端より前側で且つ穂先搬送体１１の後端よりも前側の位置にしていること、穀稈搬送装置４はチェーン等で形成した搬送体からなっていることが看取できる。
　さらに、第５図の記載から、株元搬送体６の直下に該株元搬送体６に対向する断面円形状の株元挾持体７を設ける一方、穂先搬送体１１の直下には該穂先搬送体１１に対向する挾持杆の如き挾持案内部材を設けずに、穂先搬送体１１の直下を避けて該穂先搬送体１１と株元搬送体６に対向する株元挾持体７との間にあって該株元搬送体６に対向する株元挾持体７側から離間し穂先搬送体１１側に接近するように穂先搬送体１１に偏倚させて穂先挟持体１２を配置し、株元挟持体７及び穂先挟持体１２に下方に板状体を備えている点が看取できる。
　これらの記載事項によれば、引用例には、以下のとおりの発明が記載されていると認められる。
「自動送込式脱穀装置１に備える穀稈搬送装置４の搬送終端部に続いて株元を挾持しながら排藁を機外へ搬送する株元搬送体６をその後端部側が前記穀稈搬送装置４の搬送方向から遠ざかる方向に向けて設け、該株元搬送体６によって搬送される排藁の穂先側には穂先搬送体１１をその後端が前記株元搬送体６の後端より前側となるように並置して設け、前記株元搬送体６の直下に株元搬送体６に対向する棒状の株元挾持体７を設ける一方、前記穂先搬送体１１の直下には該穂先搬送体１１に対向する挾持杆の如き挾持案内部材を設けずに、前記株元搬送体６とによる挾持搬送作用及び穂先搬送体１１による搬送作用を受けて搬送される排藁を下側から支えて案内する断面円形状の穂先挟持体１２を設けるに、該穂先挟持体１２の後端を前記株元搬送体６の後端より前側で且つ前記穂先搬送体１１の後端よりも前側の位置に設定しながら、該穂先挟持体１２を前記穂先搬送体１１の直下を避けて該穂先搬送体１１と株元搬送体６に対向する株元挾持体７との間にあって該株元搬送体６に対向する株元挾持体７側から離間し穂先搬送体１１側に接近するように穂先搬送体１１に偏倚させて配置した脱穀部の排藁搬送装置。」（以下、「引用発明」という。）
　
３−３．対比及び判断
　本件発明と引用発明とを対比すると、引用発明の「自動送込式脱穀装置１」「穀稈搬送装置４」「株元搬送体６」「株元挾持体７」「穂先搬送体１１」「脱穀部の排藁搬送装置」が、それぞれ本件発明の「脱穀機１」「脱穀搬送チェン３」「排藁株元側挾持搬送チェン４」「挟持杆」「排藁穂先側搬送ベルト５」「脱穀機の排藁搬送装置」に相当する。
　また、引用発明の「穂先挟持体１２」は、穂先搬送体１１の直下に設けられずに、穂先搬送体１１の直下を避けて該穂先搬送体１１と株元搬送体６に対向する株元挾持体７との間にあって該株元搬送体６に対向する株元挾持体７側から離間し穂先搬送体１１側に接近するように穂先搬送体１１に偏倚して配置されているから、その機能に照らし、本件発明の「案内杆６」に相当する。
　そうすると、本件発明と引用発明の両者は、「脱穀機１に備える脱穀搬送チェン３の搬送終端部に続いて株元を挾持しながら排藁を機外へ搬送する排藁株元側挾持搬送チェン４をその後端部側が前記脱穀搬送チェン３の搬送方向から遠ざかる方向に向けて設け、該排藁株元側挾持搬送チェン４によって搬送される排藁の穂先側には排藁穂先側搬送ベルト５をその後端が前記排藁株元側挾持搬送チェン４の後端より前側となるように並置して設け、前記排藁株元側挾持搬送チェン４の直下に該排藁株元側挾持搬送チェン４に対向する棒状の挾持杆を設ける一方、前記排藁穂先側搬送ベルト５の直下には該排藁穂先側搬送ベルト５に対向する挾持杆の如き挾持案内部材を設けずに、前記排藁株元側挾持搬送チェン４と挾持杆とによる挾持搬送作用及び排藁穂先側搬送ベルト５による搬送作用を受けて搬送される排藁を下側から支えて案内する断面円形状の案内杆６を設けるに、該案内杆６の後端を前記排藁株元側搬送チェン４の後端より前側で且つ前記排藁穂先側搬送ベルト５の後端よりも前側の位置に設定しながら、該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置した脱穀機の排藁搬送装置」で一致し、以下の点で相違する。
・ 相違点
　排藁の株元と先端部とが排藁株元側挟持搬送チェン４と排藁搬送ベルト５との両者によって搬送されている状態において、本件発明は、排藁の中間部分が下方から案内杆６によって支えられ、排藁の先端部分で排藁通路２の底板１０上を掃くようにして藁屑を機外へつれだすことができるように構成しているのに対し、引用発明は、排藁の中間部分ではなく中間より穂先に近い部分が支えられ、排藁の先端部分で板状体上を掃くようにして藁屑を機外につれだすことができるか否かが不明である点
上記相違点について検討する。
　排藁の支える位置を、穂先側ではなく中間部分とすることは、排藁の量や可撓性等の事情を考慮して、当業者が適宜なし得た単なる設計的事項にすぎない。
　また、排藁の先端部分が板状体（底板１０）上を掃くか否かは、排藁の穂先が板状体に向けて垂れる程度に因るものであり、排藁がどの程度垂れるかは、排藁の可撓性や排藁の量等の事情によっても変化するものである。
　そうすると、排藁の先端部分が板状体上を掃くようにして藁屑を機外へつれだすことができるように構成することは、穂先搬送体１１（排藁穂先側搬送ベルト５）及び穂先挟持体１２（案内杆６）の配置のみで一義的に決定され得る事項ではないので、引用発明においても排藁の先端部分が板状体上を掃くことは十分あり得ることであり、さらに、滞留した藁屑を除去するために、積極的にそのように構成することも当業者にとって格別困難なことではない。
　
　そして、本件発明の上記相違点に係る構成に基づく作用効果は、当業者が引用発明から予測し得る範囲内ものにすぎない。
　
３−４．むすび
　以上のとおりであるから、本件発明は、上記引用発明に基づいて当業者が容易に発明をすることができたものであるから、本件発明についての特許は、特許法第２９条第２項の規定に違反してされたものである。
　したがって、本件発明についての特許は、特許法第１１３条第２号に該当し、取り消されるものである。
　よって結論のとおり決定する。
【異議決定日】
平成１６年３月２５日（２００４．３．２５）
【訂正の要旨】
審決（決定）の【理由】欄参照。
（５４）【発明の名称】
脱穀機の排藁搬送装置
（５７）【特許請求の範囲】
　【請求項１】　脱穀機１に備える脱穀搬送チェン３の搬送終端部に続いて株元を挾持しながら排藁を機外へ搬送する排藁株元側挾持搬送チェン４をその後端部側が前記脱穀搬送チェン３の搬送方向から遠ざかる方向に向けて設け、該排藁株元側挾持搬送チェン４によって搬送される排藁の穂先側には排藁穂先側搬送ベルト５をその後端が前記排藁株元側挾持搬送チェン４の後端より前側となるように並置して設け、前記排藁株元側挾持搬送チェン４の直下に該排藁株元側挾持搬送チェン４に対向する棒状の挾持杆を設ける一方、前記排藁穂先側搬送ベルト５の直下には該排藁穂先側搬送ベルト５に対向する挾持杆の如き挾持案内部材を設けずに、前記排藁株元側挾持搬送チェン４と挾持杆とによる挾持搬送作用及び排藁穂先側搬送ベルト５による搬送作用を受けて搬送される排藁を下側から支えて案内する断面円形状の案内杆６を設けるに、該案内杆６の後端を前記排藁株元側搬送チェン４の後端より前側で且つ前記排藁穂先側搬送ベルト５の後端よりも前側の位置に設定しながら、該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置し
て、前記脱穀搬送チェン３から受け継がれた排藁の中間部分が下方から案内杆６によって支えられた状態でこの排藁の株元と先端部とが排藁株元側挾持搬送チェン４と排藁搬送ベルト５との両者によって搬送されてこの排藁の先端部分で排藁通路２の底板１０上を掃くようにして藁屑を機外へつれだすことができるように構成し
【発明の詳細な説明】
　【発明の属する技術分野】
　本発明は、脱穀機の排藁搬送装置に関し、特に、コンバインの脱穀機に有効に利用できるものである。
　【従来の技術】
　従来、この種の装置として実開昭５９ー１０１６３６号公報に記載されたものが知られている。この公報には、排藁株元側挾持搬送チェンと排藁穂先側搬送ベルトとの間に下側から搬送中の排稈を支えて案内する案内レールを設けたものが記載されているが、この案内レールは板状部材にて構成されていて、しかも、排藁株元側挾持搬送チェンと排藁穂先側搬送ベルトとの間において幅方向に連続して構成されている。
　また、実願昭６３−１１３６９６号（実開平０２−０３４１３３号）のマイクロフィルムには、脱穀機に備える脱穀搬送チェンの搬送終端部に続いて株元を挾持しながら排藁を機外へ搬送する排藁株元側挾持搬送チェンをその後端部側が前記脱穀搬送チェンの搬送方向から遠ざかる方向に向けて設け、該排藁株元側挾持搬送チェンによって搬送される排藁の穂先側には排藁穂先側挾持搬送チェンをその後端が前記排藁株元側挾持搬送チェンの後端より前側となるように並置して設け、前記排藁株元側挾持搬送チェンの直下に該排藁株元側挾持搬送チェンに対向する棒状の挾持杆を設ける一方、前記排藁穂先側挾持搬送チェンの直下にも該排藁穂先側挾持搬送チェンに対向する挾持杆を設け、前記排藁株元側挾持搬送チェンと挾持杆とによる挾持搬送作用及び排藁穂先側挾持搬送チェンと挾持杆とによる挾持搬送作用を受けて搬送される排藁を下側から支えて案内する案内杆を設けるに、該案内杆の後端を前記排藁株元側挾持搬送チェンの後端より前側で且つ前記排藁穂先側挾持搬送チェンの後端よりも前側の位置に設定しながら、該案内杆を前記排藁穂先側挾持搬送チェンの直下を避けて該排藁穂先側挾持搬送チェンに対向する挾持杆と排藁株元側挾持搬送チェンに対向する挾持杆との間にあって該排藁株元側挾持搬送チェンに対向する挾持杆側と排藁穂先側挾持搬送チェンに対向する挾持杆側とから各等間隔の中心位置に配置した脱穀機の排藁搬送装置が記載されている。
　【発明が解決しようとする課題】
　したがって、上述の実開昭５９ー１０１６３６号公報に記載されたような従来技術にあっては、排藁の移送中に排藁の先端部分が案内レ−ルとこすれて大きな抵抗となり、搬送遅れが生じて排藁の姿勢が乱れ、後行程の排藁カッタ−や排藁結束装置での処理に支障を生じる欠陥があった。
　また、排藁は、その先端部分が搬送過程で搬送通路の底板から上方に持ち上げられた状態で搬送されるから、底板上を掃きながら移動することが少なく、藁屑が滞積しやすいものであった。しかして、脱穀機の排藁搬送装置は、一般に、扱室から出た排藁が穂先遅れの状態にあるから、これを修正して機外に達するときには株元と穂先が揃った正しい姿勢にする必要がある。
　また、上述の実願昭６３−１１３６９６号（実開平０２−０３４１３３号）のマイクロフィルムに記載された技術においては、排藁の株元側及び穂先側をチェン式の挾持搬送装置によって夫々挾持搬送するために、この排藁株元側挾持搬送チェンの直下と排藁穂先側挾持搬送チェンの直下とに棒状の挾持株を夫々設けている。
　従って、排藁搬送作業においては、排藁稈身の株元側と穂先側との２箇所を挾持して搬送することとなるが、一般に排藁は穂先側に比べて株元側のほうがボリュ−ムが大きいため、排藁株元側挾持搬送チェンの駆動速度と排藁穂先側挾持搬送チェンの駆動速度とを等しく設定しても、実際には排藁の株元側の移動速度と穂先側の移動速度とが微妙に異なり、この結果、排藁稈身を株元側と穂先側との挾持部位において引っ張ることとなり、稈切れを生じて排藁搬送を円滑に行うことができなくなる欠点がある。
　【課題を解決するための手段】
　この発明は、上述の如き課題を解決するために、次のような技術的手段を講じる。
　すなわち、脱穀機１に備える脱穀搬送チェン３の搬送終端部に続いて株元を挾持しながら排藁を機外へ搬送する排藁株元側挾持搬送チェン４をその後端部側が前記脱穀搬送チェン３の搬送方向から遠ざかる方向に向けて設け、該排藁株元側挾持搬送チェン４によって搬送される排藁の穂先側には排藁穂先側搬送ベルト５をその後端が前記排藁株元側挾持搬送チェン４の後端より前側となるように並置して設け、前記排藁株元側挾持搬送チェン４の直下に該排藁株元側挾持搬送チェン４に対向する棒状の挾持杆を設ける一方、前記排藁穂先側搬送ベルト５の直下には該排藁穂先側搬送ベルト５に対向する挾持杆の如き挾持案内部材を設けずに、前記排藁株元側挾持搬送チェン４と挾持杆とによる挾持搬送作用及び排藁穂先側搬送ベルト５による搬送作用を受けて搬送される排藁を下側から支えて案内する断面円形状の案内杆６を設けるに、該案内杆６の後端を前記排藁株元側搬送チェン４の後端より前側で且つ前記排藁穂先側搬送ベルト５の後端よりも前側の位置に設定しながら、該案内杆６を前記排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚させて配置し
て、前記脱穀搬送チェン３から受け継がれた排藁の中間部分が下方から案内杆６によって支えられた状態でこの排藁の株元と先端部とが排藁株元側挾持搬送チェン４と排藁搬送ベルト５との両者によって搬送されてこの排藁の先端部分で排藁通路２の底板１０上を掃くようにして藁屑を機外へつれだすことができるように構成し
　これにより、穀稈は、脱穀搬送チェン３によって搬送中に脱穀機１内の扱胴の作用を受けて脱穀処理され、この脱穀処理後の排藁は、その株元側を脱穀搬送チェン３の終端部から排藁株元側挾持搬送チェン４に引き継がれて機外へと搬送される。
　即ち、排藁の株元側は、排藁株元側挾持搬送チェン４とこの直下に対向させた棒状の挾持杆とによって挾持搬送され、一方、この排藁の穂先側は、案内杆６によって下側から支えられて、排藁穂先側搬送ベルト５によって搬送される。
　従って、排藁株元側挾持搬送チェン４による排藁株元側の移動速度と排藁穂先側搬送ベルト５による排藁穂先側の移動速度とに差が生じても、排藁の穂先側は排藁穂先側搬送ベルト５に挾持されていないので、排藁株元側挾持搬送チェン４と排藁穂先側搬送ベルト５との間において排藁稈身を引っ張り合うことがなく、稈切れが少なくなり、排藁搬送を円滑に行うことができる。
　しかも、排藁を下側から支えて案内する案内杆６が、断面円形状であるために排藁との接触面積が小さくなって排藁搬送の抵抗になりにくく、また、この案内杆６が、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置されているため、この案内杆６と排藁穂先側搬送ベルト５との間で排藁を挾持しない状態でありながら、この排藁に排藁穂先側搬送ベルト５の搬送作用を効果的に受けさしめ、排藁搬送が円滑に行われる。
　
しかも、排藁は、その先端部分で排藁通路２の底板１０上を掃くようにして進み藁屑を機外へつれだすことができる。
　【発明の効果】
　従って、本発明によると、例え排藁株元側挾持搬送チェン４による排藁株元側の移動速度と排藁穂先側搬送ベルト５による排藁穂先側の移動速度とに差が生じても、排藁の穂先側を排藁穂先側搬送ベルト５に挾持しないために排藁株元側挾持搬送チェン４と排藁穂先側搬送ベルト５との間において排藁稈身を引っ張り合うことがなく、稈切れを少なくでき、排藁搬送を円滑に行うことができるものとして脱穀作業の能率を向上させることができる。
　しかも、排藁を下側から支えて案内する案内杆６を断面円形状として排藁との接触面積を小さくして排藁搬送の抵抗になりにくいものとし、また、この案内杆６を、排藁穂先側搬送ベルト５の直下を避けて該排藁穂先側搬送ベルト５と排藁株元側挾持搬送チェン４に対向する挾持杆との間にあって該排藁株元側挾持搬送チェン４に対向する挾持杆側から離間し排藁穂先側搬送ベルト５側に接近するように排藁穂先側搬送ベルト５側に偏倚して配置することによって、この案内杆６と排藁穂先側搬送ベルト５との間で排藁を挾持しない状態でありながら、この排藁に排藁穂先側搬送ベルト５の搬送作用を効果的に受けさせることができ、排藁搬送を円滑に行うことができるものとして脱穀作業の能率を向上させることができる。
　
しかも、排藁は、その先端部分で排藁通路２の底板１０上を掃くようにして進み藁屑を機外へつれだすことができる。
　【発明の実施の形態】
　まず、その構成について説明する。
　脱穀機１は、扱室７と、脱穀搬送チエン３と、排藁搬送装置８等から構成している。
　排藁搬送装置８は、挾持排藁チエン（排藁株元側挾持搬送チェン）４と、排藁搬送ベルト（排藁穂先側搬送ベルト）５と、案内杆６とからなっている。
　まず、挾持排藁チエン４は、補強枠９に支持させたチエンと底板１０に取り付けた挾持杆とからなり、始端部を前記脱穀搬送チエン３に臨ませ、終端部を機外に位置させている。そして、この挾持排藁チエン４は、扱室７からでた排藁を先端方向に寄せながら搬送するために、平面的に傾斜させて設けている。
　排藁搬送ベルト５は、上記挾持排藁チエン４が挾持した排藁の先端側にそのチエン４から所定の間隔を隔て、沿わせて設けている。
　案内杆６は、排藁搬送ベルト５と挾持排藁チエン４との間に搬送藁を下方から支持するように設けている。
　そして、挾持排藁チエン４は、ギアボックス１１から伝動される構成としている。排藁搬送ベルト５は、挾持排藁チエン４から伝動軸１２を介して伝動される構成としている。
　つぎにその作用について説明する。
　まず、機体の回転各部を駆動しながら脱穀作業を開始する。
　すると、穀稈は、株元が脱穀搬送チエン３によって挾持され穂先が扱室７に供給されて脱穀作用を受ける。
　そして、脱穀された穀稈は、株元部分が脱穀搬送チエン３の終端部分から挾持排藁チエン４に受け継がれ、若干搬送遅れの状態になった先端部分が扱室７から排出されて排藁搬送ベルト５に達する。
　このようにして、排藁は、排藁搬送装置８に受け継がれると、株元と先端部とが挾持排藁チエン４と排藁搬送ベルト５との両者によって搬送され、その中間部分が下方から案内杆６によって支えられた状態で搬送される。
　したがって、排藁は、若干搬送遅れとなっている先端部分にブレ−キをかけることなく円滑に搬送できる。しかも、排藁は、その先端部分で排藁通路２の底板１０上を掃くようにして進み藁屑を機外つれだすことが出来る。
　そして、排藁は、排藁搬送装置８の終端部から機外に排出される。
【図面の簡単な説明】
　【図１】
　本発明の要部の作用を示す断面図である。
　【図２】
　本発明の要部の平面図である。
　【図３】
　本発明の一部切断した平面図である。
　【符号の説明】
　　１　脱穀機
　　
２
排藁通路
　　３　脱穀搬送チエン
　　４　挾持排藁チエン（排藁株元側挾持搬送チェン）
　　５　排藁搬送ベルト（排藁穂先側搬送ベルト）
　　６　案内杆
　
１０
底板